(57)【要約】      （修正有）【課題】装飾性に優れ、内部の収納状態が確認でき、更には、特に蓋部の変形を極力防止できる装飾籐バッグを提供する。【解決手段】縦芯と横芯とにより編成された装飾籐バッグＡで、籐蓋部１と籐本体部２とからなり、該籐蓋部１にはガラス製の装飾片１１が取り付けられている。装飾片は、半透明であるので、内部に収納物が有るか否かの判断ができるが、収納物の詳細は視認されない。また、装飾片は、籐蓋部の中央位置に一つ設けられることにより、籐蓋部の剛性がより高まり歪みにくくなっている。【選択図】図１１
0003188610.tif 000002
【実用新案登録請求の範囲】
【請求項１】
縦芯と横芯とにより編成された装飾籐バッグであって、籐蓋部と籐本体部とからなり、該籐蓋部にはガラス製の装飾片が取り付けられていることを特徴とする装飾籐バッグ。
【請求項２】
装飾片は、半透明であることを特徴とする請求項１記載の装飾籐バッグ。
【請求項３】
装飾片は、籐蓋部の中央位置に一つ設けられていることを特徴とする請求項１又は２記載の装飾籐バッグ。
【請求項４】
装飾片の周囲に溝が形成されており、該溝に縦芯が嵌り込んでいることを特徴とする請求項１〜３のいずれか１項記載の装飾籐バッグ。
【請求項５】
装飾片の外形は、籐蓋部の外形と相似形に形成されていることを特徴とする請求項１〜４のいずれか１項記載の装飾籐バッグ。
【請求項６】
籐本体部の底部に、上記装飾片と同形で木製の底片が取り付けられていることを特徴とする請求項１〜５のいずれか１項記載の装飾籐バッグ。
【請求項７】
縦芯と横芯とにより編成された装飾籐バッグであって、籐蓋部と籐本体部とからなり、該籐蓋部には中央位置に一つ半透明のガラス製の装飾片が取り付けられており、装飾片の周囲に溝が形成されており、該溝に縦芯が嵌り込んでおり、装飾片の外形は、籐蓋部の外形と相似形に形成され、籐本体部の底部に装飾片と同形で木製の底片が取り付けられており、籐蓋部は籐本体部にヒンジ結合されていることを特徴とする装飾籐バッグ。
【考案の詳細な説明】
【技術分野】
【０００１】
本考案は、装飾を施した装飾籐バッグに関し、詳しくは、装飾ガラスを備えた装飾籐バッグに関する。
【背景技術】
【０００２】
従来、籐を使った小物品が籐細工により作られているが、いわゆるヤシ科に属する籐は軽さ、屈曲性、強靱性を共に有し、更には編み上げられた編成地肌により特有の風合いや自然な色味を発現できる利点がある。
このようなことから、籐を使った籐製品は、以前から、根強い人気がある。
現在、籐製品としては、籐バッグ、籐箱、籐容器等種々の形態のものが提供されている。籐を使った籐工芸品は、型であるモールドに沿って縦芯や横芯を使って編み上げて行くため、この編成の仕方により好みに合った形や大きさに設定することができる。
また籐を使って編成された編み目により独特の表面形態を付与することができる。
【０００３】
例えば、特許文献１には、底板を有し、中央に堤手を備える籐製の籠が記載されている。
この籐製の籠は、多数の籐の縦芯を底板に立設固定し、該縦芯を支柱として多数の横芯を編み上げてなるもので、製作能率が極めて高いものである。
【０００４】
更にまた、例えば、特許文献２に縦芯の端部を折り返し、この折り返した部分を、縦芯を編み込む編み芯の間に形成された空間に挿入して固定するものが記載されている。
そのため縦芯を比較的自由に動かすことができるので、完成品である籐かごのデザインの自由度が大幅に増す。
しかし、上述したいずれのものも、編みの組織に特徴を与えて商品価値を高めているものであって、装飾性の観点から見た場合、編み組織には自ずと限度がある。
更なる装飾効果を狙ったものとして、必ずしも編成の編み組織に依存しないで、意匠性、装飾性を高める手法が開発されている。
【０００５】
例えば、特許文献３には、図柄や文字が描かれた紙材を籠の表面に貼り付けた籐製品が記載されている。
これは、図柄の形状に切り抜いた紙材を凹凸形状となっている籠体表面に接着剤を含浸させた状態で押圧貼付するため美しい図柄が再現できるものである。
【０００６】
また例えば、特許文献４には、開口部から物品の出し入れが可能な２つのアウターと、この２つのアウターの間に収納された２つのインナーよりなる籐製のバッグが記載されている。
そして飾り布が接着固定されている。
しかし、これらについても紙材や布材を使って装飾性を付与するものであり、しかも籐組織の表面に貼り付ける手法を採用している。
従って、紙材や布材が籐の表面から離脱し易く、必ずしも長持ちしない。
また立体的な装飾が得られず、また重厚な装飾性が期待できない。
【０００７】
ところで、以上述べた籐製品は、収納部に物を入れた場合、内部を見ることはできず、収納物が入っているか或いはいないかの見分けはできない。
また一方では、籐は編み込みにより作られているので全体として歪みが生じる欠点がある。
バスケット容器の場合、本体部分と蓋部分とが分離しているので、長期に渡って使用していると、形が変わり、本体部分と蓋部分との合わせ目が合致しなくなる。
特に蓋部分は変形し易いので、本体部分との間に空隙が生じて、正確に蓋部分が閉まらない問題が生じる。
【先行技術文献】
【特許文献】
【０００８】
【特許文献１】実登３１８６４９０号公報
【特許文献２】実開平６−３４９０７号公報
【特許文献３】特開２００５−３５３０３号公報
【特許文献４】特開２０１２−４０２８９号公報
【考案の概要】
【考案が解決しようとする課題】
【０００９】
本考案は、以上の事情を背景になされたものである。
すなわち、本考案の目的は、装飾性に優れ、内部の収納状態が確認でき、更には、特に蓋部の変形を極力防止できる装飾籐バッグを提供する。
【課題を解決するための手段】
【００１０】
上記課題を解決するために、鋭意、研究した結果、蓋部にガラス製の装飾片を取り付けることにより、収納物の有無が判断でき、且つ強度も向上して変形し難くなることを見出し、この知見によって、本考案を考案したものである。
【００１１】
即ち、本考案は、（１）、縦芯と横芯とにより編成された装飾籐バッグＡであって、籐蓋部１と籐本体部２とからなり、該籐蓋部１にはガラス製の装飾片１１が取り付けられている装飾籐バッグＡ。
【００１２】
また本考案は、（２）、装飾片１１は、半透明である上記（１）記載の装飾籐バッグＡに存する。
【００１３】
また本考案は、（３）、装飾片１１は、籐蓋部１の中央位置に一つ設けられている上記（１）又は（２）記載の装飾籐バッグＡに存する。
【００１４】
また本考案は、（４）、装飾片１１の周囲に溝Ｇが形成されており、該溝Ｇに縦芯が嵌り込んでいる上記（１）〜（３）のいずれか１項記載の装飾籐バッグＡに存する。
【００１５】
また本考案は、（５）、装飾片１１の外形は、籐蓋部１の外形と相似形に形成されている上記（１）〜（４）のいずれか１項記載の装飾籐バッグＡに存する。
【００１６】
また本考案は、（６）、籐本体部２の底部に、上記装飾片１１と同形で木製の底片が取り付けられている上記（１）〜（５）のいずれか１項記載の装飾籐バッグＡに存する。
【００１７】
また本考案は、（７）、縦芯と横芯とにより編成された装飾籐バッグＡであって、籐蓋部１と籐本体部２とからなり、該籐蓋部１には中央位置に一つ半透明のガラス製の装飾片１１が取り付けられており、装飾片１１の周囲に溝Ｇが形成されており、該溝Ｇに縦芯が嵌り込んでおり、装飾片１１の外形は、籐蓋部１の外形と相似形に形成され、籐本体部２の底部に装飾片１１と同形で木製の底片が取り付けられており、籐蓋部１は籐本体部２にヒンジ結合されている装飾籐バッグＡに存する。
【００１８】
なお、本考案の目的に沿ったものであれば上記（１）〜（７）を適宜組み合わせた構成も採用可能である。
【考案の効果】
【００１９】
１）本考案の装飾籐バッグＡは、縦芯と横芯とにより編成された装飾籐バッグＡで、籐蓋部１と籐本体部２とからなり、該籐蓋部１にはガラス製の装飾片１１が取り付けられているので、特有の装飾性があり、且つ、籐蓋部１の剛性が向上して変形し難い。
且つ、内部の収納物の有無が確認できる。
２）装飾片１１は、半透明であるので、内部に収納物が有るか否かの判断ができるが、しかし収納物の詳細は視認されない。
３）装飾片１１は、籐蓋部１の中央位置に一つ設けられていることにより、籐蓋部１の剛性がより高まり歪みにくくなる。
４）装飾片１１の周囲に溝Ｇが形成されており、該溝Ｇに縦芯が嵌り込んでいることにより、籐蓋部１とガラス製の装飾片１１が確実に取り付けられる。
５）装飾片１１の外形が籐蓋部１の外形と相似形に形成されていることにより、装飾片１１による剛性が発揮される。
６）籐本体部２の底部に、上記装飾片１１と同形で木製の底片が取り付けられていることにより装飾籐バッグＡの重心が安定する。
【図面の簡単な説明】
【００２０】
【図１】図１は、本考案の装飾籐バッグを示す全体斜視図である。
【図２】図２は、本考案の装飾籐バッグの籐蓋部を示す斜視図である。
【図３】図３は、本考案の装飾籐バッグの籐蓋部を示す平面図である。
【図４】図４は、本考案の装飾籐バッグの装飾片を示す斜視図である。
【図５】図５は、本考案の装飾籐バッグにおける籐蓋部と装飾片との取り付け状態を説明するＡ−Ａ断面図であり、（Ａ）は、溝の断面がコの字状断面の場合、（Ｂ）は、溝の断面がＶ字状断面の場合を示す。
【図６】図６は、本考案の装飾籐バッグの籐本体部を示す斜視図である。
【図７】図７は、本考案の装飾籐バッグの籐本体部を示す平面図である。
【図８】図８は、本考案の装飾籐バッグのヒンジ部における装飾片と籐蓋部との取り付け状態を示す図である。
【図９】図９は、本考案の装飾籐バッグのヒンジ部における装飾片と籐蓋部との施錠部を示す図である。
【図１０】図１０は、籐蓋部、装飾片、籐本体部、底片の形状の異なった幾つかの例を模式的に示す図であり、（Ａ）は、籐蓋部、装飾片、籐本体部、底片円形のそれぞれが円形の例、（Ｂ）は矩形の例、また（Ｃ）は、菱形の例を示す。
【図１１】図１１は、第２の実施の形態の装飾籐バッグを示す全体斜視図である。
【図１２】図１２は、取っ手が二つ設けられている装飾籐バッグを示す。
【考案を実施するための形態】
【００２１】
以下、本考案の実施の形態について図面を用いて説明する。
【００２２】
本実施の形態における装飾籐バッグＡは、ヤシ科に属する天然の籐で製造されるもので、あり装飾片１１（オーナメント）が備わって意匠性や装飾性に富むものである。
【００２３】
（第１の実施の形態）
本考案の装飾籐バッグＡは、ナンタケットバスケットといわれるもので、籐を芯として編んで作られており、構造的には、籐蓋部１と籐本体部２とよりなる。
図１は、本考案の装飾籐バッグＡを示す全体斜視図である。
籐本体部２は内部に収納部を有しており、他方の籐蓋部１はその収納部を覆うためのものであり、ここでは籐蓋部１と籐本体部２は、平面視で楕円形のものを示す。
このような装飾籐バッグＡは、水に浸して柔軟性を付与した籐を使って編成されるが、ベースに先端が嵌合された縦芯Ｙ（通常「ステイブ」という）と該縦芯Ｙと交差するに横芯Ｘ（通常「ウイーバー」という）とをモールド（型）に沿って編み込んで作られるもので、このベースやモールドを選択することにより、形や大きさの異なるバッグが製作される。
以下、装飾籐バッグＡの構成部分を説明していく。
【００２４】
まず図２は、本考案の装飾籐バッグＡの籐蓋部１を示す斜視図であり、図３は、本考案の装飾籐バッグＡの籐蓋部１（いわゆる「トップ」という）を示す平面図である。
籐蓋部１の外周には縦芯Ｙや横芯Ｘに比べて太めの籐枠１３（図示しない一対の分割リムよりなる）が備わっており、一方、籐本体部２の側壁部の上端部にも同様に太めの籐枠２３が備わっている。
【００２５】
図４は、本考案の装飾籐バッグＡの装飾片１１を示す斜視図である。
籐蓋部１には、ガラス製の装飾片１１が取り付けられており独特の意匠性や装飾性を発揮する。
ガラスは半透明であるため、装飾片１１を通して内部は明確には見えないが、収納された物が有るか否かは認識可能である。
したがって、収納物が何かという詳細までは視認できない。
【００２６】
装飾片１１は、板状であって、後述するように、その周囲が籐蓋部１に固定されている。
装飾片１１は、籐蓋部１の外形と相似形となっており、例えば、図のように、籐蓋部１の外形が楕円形の場合は、装飾片１１の外形も同様に楕円形となる。
尚、籐蓋部１の外形は前述した籐枠１３の形で規定される。
装飾片１１は籐蓋部１の中央部に独立して一枚配置されているが、このような装飾片１１が独立して島のように複数個配置されることは好ましくない。
【００２７】
前述したように、装飾片１１はガラス製であり所定の厚みを有する平板状に形成されており、装飾が施されている。
この場合、装飾としては、表面の現れた凹凸立体模様、或いは、内部に施された模様や表面に施された模様が採用される。
籐蓋部１はこの中央部に配置されたガラス製の装飾片１１によって強度が大きく向上し、籐蓋部１の変形が効果的に防止される。
装飾片１１はガラス製であるため、それを取り付けた籐蓋部１は剛体化して強度が上がり変形しにくくなるのである。
【００２８】
また後述する籐本体部２の底部に取り付けられた木片と籐蓋部１の装飾片１１とは同じ形であり略同じ大きさである。
装飾片１１には、その側面に沿って溝Ｇが形成されており、籐蓋部１、詳しくは縦芯Ｙ（通常、「ステイブ」という）の先端がこの溝Ｇに嵌まり込むことで装飾片１１と籐蓋部１とは確実に固定される。
【００２９】
図５は、本考案の装飾籐バッグＡにおける籐蓋部１と装飾片１１との取り付け状態を説明する断面図であり、（Ａ）は、溝Ｇの断面がコの字状断面の場合、（Ｂ）は、溝Ｇの断面がＶ字状断面の場合を示す。
装飾片１１に形成された溝Ｇとしては、後者の断面Ｖ字状の溝Ｇが好ましく採用される。
何故なら、断面Ｖ字状の溝Ｇであることにより、籐を編成する際、該溝Ｇに縦芯Ｙが嵌って締め込まれる利点がある。
【００３０】
図６は、本考案の装飾籐バッグＡの籐本体部２を示す斜視図である。
【００３１】
図７は、本考案の装飾籐バッグＡの籐本体部２を示す平面図である。
上述した籐蓋部１と対向する籐本体部２（通常「ボトム」という）は、底部２Ａと側壁部２Ｂとを有し、これにより収納部が区画される。
側壁部２Ｂの上端部には籐枠２３（図示しない一対の分割リムよりなる）が設けられており、この籐枠２３は、縦芯Ｙの終端を挟み込むために一対備わっている。
この籐枠２３は上から見ると楕円形となっている。
側壁部２Ｂは、上端部からややカーブを描いて底部２Ａに続いている。
【００３２】
また籐本体部２の底部２Ａには、ベースである底片２１（チェリー、メイプル、オーク等の比較的硬いものが好適）が取り付けられている。
底片２１の取り付け方は、上述した籐蓋部１に対する装飾片１１の取り付け方と同じで、底片２１の周囲の溝(図示略)に縦芯Ｙの先端が嵌め込まれて固定されるものである。
平板状の底片２１があることにより、籐本体部２の底部２Ａが平らに維持されるため、籐本体部２を例えば、テーブル面に安定した状態で載置することができる。
また、無垢の底片２１は重いため装飾籐バッグＡは同様に安定して倒れにくい。
ここで底片２１の外形と底部の外形とは相似形である。
【００３３】
ところで、籐蓋部１（トップ）は籐本体部２（ボトム）に対して開閉自在に取り付けられている。
すなわち、籐蓋部１は籐本体部２に対して一方側でヒンジ結合により連結され、他方側で留め具を使って開かないように施錠される。
【００３４】
（ヒンジ結合）
図８は、本考案の装飾籐バッグＡのヒンジ部における装飾片１１と籐蓋部１との取り付け状態を示す図である。尚、この図では編み目を示した。
ヒンジ結合としては、籐蓋部１に蓋用籐リング１２を設け、該蓋用籐リング１２に交差するようにして籐本体部２に本体用籐リング２２を設ける。
この蓋用籐リング１２は具体的には、籐蓋部１の一対の分割リムには挟み込まれるように固定され、本体用籐リング２２も同様である。
これで、籐蓋部１は籐本体部２に対してヒンジ結合されたことになり、このヒンジ結合された箇所を支点として回動する。
このようなヒンジ結合は、比較的、動きに自由度があるので籐蓋部１と籐本体部２とが、合わせ易い。
【００３５】
（施錠部）  図９は、本考案の装飾籐バッグＡのヒンジ部における装飾片１１と籐蓋部１との施錠部を示す図である。
尚、この図では編み目を示した。
籐蓋部１のヒンジ部とは反対側に籐本体部２とを連結するための施錠手段を設ける。
具体的には、籐蓋部１のヒンジ部とは反対側において籐蓋部１に蓋用籐リング１２を設け、且つ籐本体部２（詳しくは上端部の籐枠２３）にも本体用籐リング２２を設ける。
その際、前者の蓋用籐リング１２を本体用籐リング２２より大きくしておく。
そして蓋用籐リング１２に本体用籐リング２２を下から上に通して、該本体用籐リング２２に別に用意した留め具Ｐ１を上から強く押し入れる。
留め具Ｐ１は、円錐形状をしたガラス製のもので、それを先端の部分から押し入れると、両リングは締り、結果的に籐蓋部１は閉じた状態が維持され施錠される。
【００３６】
（変形例）
ところで、籐蓋部１と籐本体部２の外形が平面視で共に楕円形の場合で述べてきたが、当然他の形状も採用可能である。
【００３７】
図１０は、籐蓋部１、装飾片１１、籐本体部２、底片２１の形状の異なった幾つかの例を模式的に示す図であり、（Ａ）は、籐蓋部１、装飾片１１、籐本体部２、底片２１のそれぞれが円形の例、（Ｂ）は矩形の例、また（Ｃ）は、菱形の例を示す。
このように、籐蓋部１と籐本体部２の外形は、籐の柔軟性のため角部が曲線のようになり、円形状、矩形状、菱形状となる。
また籐蓋部１を閉じた時、籐本体部２と正確に合致しなくてはならないから、籐蓋部１と籐本体部２は、平面視で同じ形で且つ同じ大きさである。
また、籐蓋部１に取り付けた装飾片１１と籐本体部２の底部２Ａに取り付けた底片２１は、平面視で同じ形で、且つ、略同じ大きさである。
籐蓋部１と装飾片１１とは平面視で相似形であり、籐本体部２の底部２Ａと底片２１も平面視で相似形である。
【００３８】
本実施の形態の装飾籐バッグＡは、極めて有用なものである。
即ち、上下方向から力が加わっても、籐本体部２の側壁部２Ａが強度を発揮する。
また籐蓋部１は、ガラス製の装飾片１１によって強度が向上するため、凹み、歪み等の変形が防止される。
また装飾片１１によりガラス特有の重厚で華麗な意匠性、装飾性が発揮される。
また、籐蓋部１が装飾片１１の周囲の溝Ｇ嵌め込まれている、詳しくは食い込んでいるので籐本体部２に強固に固定される。
ガラス製の装飾片１１を通して内部に何か収納されているかいないかが認識できる。
しかし、半透明なので、内部の収納品を明確に視認できない。
そのため、他人から内部の収納品が何かを見分けられることはない。
【００３９】
（第２の実施の形態）
図１１は、第２実施の形態の装飾籐バッグＡを示す全体斜視図であり、この実施の形態は、第１の実施の形態の装飾籐バッグＡに取っ手３を取り付けたものである。
この場合、取っ手３はアーチ状になっており、その両端部が籐本体に回動自在に取り付けられている。
具体的には、取っ手３の端部をガラス製の枢着ピンＰ２により枢支することが好ましい。
先述した装飾片１１や留めピンＰ１、及び枢着ピンＰ２は、ガラス製のものなので全体的に重厚な高級感が醸し出される。
【００４０】
図１２は、取っ手が二つ設けられている装飾籐バッグＡを示す。
取っ手３の数や形は適宜のものを採用することが可能である。
【００４１】
以上、本考案を説明してきたが、その本質に変更のない限り、これらの実施の形態のみに限定されるものではなく多様な変形例が可能である。
そのため、この  例えば、装飾片１１は、色彩が付与されることも可能であり、その場合、内部に収納された物の有無は分かるが、詳細は見極められないことが、必要である。
また籐蓋部１は開閉するヒンジ結合ではなく、上から嵌め込む形式のものでもよく、その場合は、ヒンジ部は不要である。
籐本体部２や籐蓋部１は平面視で楕円以外の形でもよいが、装飾片１１や底板の形は籐本体部２や籐蓋部１の形の相似形となる。
また、籐蓋部１に毛皮（ファー）の飾りを設けることも採用可能である。
【産業上の利用可能性】
【００４２】
本考案の装飾籐バッグＡは、籐蓋部１と籐本体部２とよりなり、籐蓋部１にガラス製の装飾片１１が取り付けられていることにより、装飾性に富み、また強度が向上して籐蓋部１に変形が生じ難い。
また、内部に物が収納されているか否かの認識ができる。
原理を発揮できる限り、バッグ以外の籐製品に対しても適用が可能である。
【符号の説明】
【００４３】
１・・・籐蓋部（トップ）
１１・・・装飾片
１２・・・蓋用籐リング
１３・・・籐枠（一対のリムよりなる）
２・・・籐本体部（ボトム）
２Ａ・・・底部
２Ｂ・・・側壁部
２１・・・底片
２２・・・本体用籐リング
２３・・・籐枠（一対のリムよりなる）
３・・・取っ手
Ａ・・・装飾籐バッグ
Ｇ・・・溝
Ｐ１・・・留め具
Ｐ２・・・枢着ピン
Ｘ・・・横芯
Ｙ・・・縦芯
【図１】
0003188610.tif 000003
【図２】
0003188610.tif 000004
【図３】
0003188610.tif 000005
【図４】
0003188610.tif 000006
【図５】
0003188610.tif 000007
【図６】
0003188610.tif 000008
【図７】
0003188610.tif 000009
【図８】
0003188610.tif 000010
【図９】
0003188610.tif 000011
【図１０】
0003188610.tif 000012
【図１１】
0003188610.tif 000013
【図１２】
0003188610.tif 000014